(57)【要約】【課題】  従来と比して格段と消費電力を低減し得るようにする。【解決手段】  音楽再生装置１においては、音楽出力部３から出力される音楽の音量が所定レベル以下になったとき、データＤ１、Ｄ２、……の下位ビット部分ＬＢ１、ＬＢ２、……を切り捨てて演算処理するようにしたことにより、当該演算処理の処理負荷を従来よりも小さくすることができる。この結果、従来よりも格段と消費電力を低減することができる音楽再生装置１を実現することができる。【選択図】        図１
2005100159.tif 000002
【特許請求の範囲】
【請求項１】
外部から供給される所定ビット数のデータを演算処理することにより音楽データを生成する演算装置において、
所定の出力手段から上記音楽データに基づいて出力される音楽の音量を認識する認識手段と、
上記認識手段によって認識した上記音量が所定レベル以下である場合、上記データの一部を切り捨てて演算処理することにより上記音楽データを生成する演算手段と
を具えることを特徴とする演算装置。
【請求項２】
上記演算手段は、
上記認識手段によって上記音量が消音レベルになったことを認識すると、上記データに対する上記演算処理を中止する
ことを特徴とする請求項１に記載の演算装置。
【請求項３】
外部から供給される所定ビット数のデータを演算処理することにより音楽データを生成する演算装置の演算方法において、
所定の出力手段から上記音楽データに基づいて出力される音楽の音量を認識する認識ステップと、
上記認識ステップによって認識した上記音量が所定レベル以下である場合、上記データの一部を切り捨てて演算処理することにより上記音楽データを生成する演算ステップと
を具えることを特徴とする演算装置の演算方法。
【発明の詳細な説明】
【技術分野】
【０００１】
本発明は演算装置及びその方法に関し、例えば、外部から順次供給される符号化されたデータに対して、復号化するための演算処理を実行し、この結果得られた音楽データに基づいて、スピーカから音楽を出力するようになされた音楽再生装置に適用して好適なものである。
【背景技術】
【０００２】
近年、ユーザによって携帯されて使用される携帯型の音楽再生装置が広く普及している。特にこのような携帯型の音楽再生装置においては、音楽再生時間を長期化するためにも、消費電力の低減を図ることが重要である（例えば特許文献１）。
【０００３】
例えばこのような音楽再生装置は、その内部に１６ビット演算処理が可能なＤＳＰ（Digital  Signal  Processor）を有している。このＤＳＰは、例えば図４に示すように、外部から３２ビットでなるデータＤ１及びＤ２が供給されるとこれを演算処理する。
【０００４】
すなわちこの場合の演算処理は、１６ビットの大きさでなるデータＤ１の上位ビット部分ＭＢ１と、同じく１６ビットの大きさでなるデータＤ２の上位ビット部分ＭＢ２とを乗算処理した後（演算ステップＳ１）、データＤ１の下位ビット部分ＬＢ１とデータＤ２の上位ビット部分ＭＢ２とを乗算処理し、この結果を演算ステップＳ１の演算結果に足し込む（演算ステップＳ２）。
【０００５】
また、データＤ１の上位ビット部分ＭＢ１とデータＤ２の下位ビット部分ＬＢ２とを乗算処理し、この結果を演算ステップＳ２の演算結果に足し込んだ後（演算ステップＳ３）、データＤ１の下位ビット部分ＬＢ１とデータＤ２の下位ビット部分ＬＢ２とを乗算処理し、この結果を演算ステップＳ３の演算結果に足し込んで、演算結果データＲＤを得る（演算ステップＳ４）。
【０００６】
そして、この演算を何度か繰り返した演算結果データＲＤのうちの上位２〜３３ビットの部分を音楽データＳＤとして、ディジタルアナログコンバータ（DigitalAnalog Converter）を介してスピーカ等へ送出することにより音楽を出力するようになされている。
【特許文献１】特開２００２−１３５１２７公報
【発明の開示】
【発明が解決しようとする課題】
【０００７】
ところで、このような従来の音楽再生装置における演算処理は、その処理負荷が比較的大きく、かくして消費電力を増大させる一因となっていた。
【０００８】
本発明は以上の点を考慮してなされたもので、従来と比して格段と消費電力を低減し得る演算装置及びその方法を提案しようとするものである。
【課題を解決するための手段】
【０００９】
かかる課題を解決するために本発明においては、外部から供給される所定ビット数のデータを繰り返し演算処理することにより音楽データを生成する演算装置において、所定の出力手段から音楽データに基づいて出力される音楽の音量を認識する認識手段と、認識手段によって認識した音量が所定レベル以下である場合、データの一部を切り捨てて演算処理することにより音楽データを生成する演算手段とを設けるようにした。
【００１０】
また本発明においては、外部から供給される所定ビット数のデータを繰り返し演算処理することにより音楽データを生成する演算装置の演算方法において、所定の出力手段から音楽データに基づいて出力される音楽の音量を認識する認識ステップと、認識ステップによって認識した音量が所定レベル以下である場合、データの一部を切り捨てて演算処理することにより音楽データを生成する演算ステップとを設けるようにした。
【００１１】
このようにして、出力手段から出力される音楽の音量が所定レベル以下である場合に、データの一部を切り捨てて演算処理するようにしたことにより、当該演算処理にかかる処理負荷を従来よりも低減することができる。
【発明の効果】
【００１２】
本発明によれば、外部から供給される所定ビット数のデータを繰り返し演算処理することにより音楽データを生成する演算装置において、所定の出力手段から音楽データに基づいて出力される音楽の音量を認識する認識手段と、認識手段によって認識した音量が所定レベル以下である場合、データの一部を切り捨てて演算処理することにより音楽データを生成する演算手段とを設けるようにしたことにより、当該演算処理にかかる処理負荷を従来よりも低減することができ、かくして演算装置における消費電力を従来よりも低減することができる。
【００１３】
また本発明によれば、外部から供給される所定ビット数のデータを繰り返し演算処理することにより音楽データを生成する演算装置の演算方法において、所定の出力手段から音楽データに基づいて出力される音楽の音量を認識する認識ステップと、認識ステップによって認識した音量が所定レベル以下である場合、データの一部を切り捨てて演算処理することにより音楽データを生成する演算ステップとを設けるようにしたことにより、当該演算処理にかかる処理負荷を従来よりも低減することができ、かくして演算装置における消費電力を従来よりも低減することができる。
【発明を実施するための最良の形態】
【００１４】
以下図面について、本発明の一実施の形態を詳述する。
【００１５】
図１において、１は全体として携帯型の音楽再生装置を示し、１６ビットの演算処理が可能な１６ビット演算部２Ａを有するＤＳＰ２に対して、音楽を出力するためのスピーカ等からなる音楽出力部３と、音量認識部４とが接続されている。
【００１６】
ＤＳＰ２は、外部から順次供給される所定ビット数（例えば３２ビット）のデータＤ１、Ｄ２……を、演算処理することにより音楽データＳＤを順次生成し、これを音楽出力部３へ供給することにより、この音楽出力部３から音楽データＳＤに基づく音楽を出力させる。
【００１７】
またこの音楽再生装置１においては、ユーザにより操作部５を介して、音楽出力部３から出力される音楽の音量を調節するための音量調節操作が行われたとき、音量認識部４が、この音量調節操作によって変更された音量のレベル（例えば単位[dB]で表される値：以下、これを音量レベルと呼ぶ）を認識し、これを音量制御部（図示せず）に通知する。
【００１８】
このときこの音量制御部は、音量認識部４から通知された音量レベルに応じた音量によって音楽を出力させるように、音楽出力部３を制御する。
【００１９】
次に、このＤＳＰ２において実行される演算処理の手順について、図２に示すフローチャートを用いて説明する。
【００２０】
例えばユーザにより操作部５を介して音量調節操作が行われたとき、ＤＳＰ２は、開始ステップＳＰ０からステップＳＰ１に進み、音量調節操作によって変更された音量レベルを、音量認識部４を介して認識する。
【００２１】
そしてＤＳＰ２は、ステップＳＰ２に進んで、認識した音量レベルが消音レベルか否かを判定する。
【００２２】
このステップＳＰ２において肯定結果が得られると、このことは、音楽を消音（ミュート）する音量調節操作が行われたことにより音楽出力部３から音楽が出力されないことを意味しており、このときＤＳＰ２は、ステップＳＰ３へ進んで、データＤ１、Ｄ２、……に対する演算処理を中止する。
【００２３】
このようにしてこの音楽再生装置１においては、音楽を消音する音量調節操作が行われたことによって、音楽出力部３から音楽が出力されない状態になったとき、演算処理を中止することにより、消費電力の低減を図るようになされている。
【００２４】
一方、かかるステップＳＰ２において否定結果が得られると、このときＤＳＰ２は、ステップＳＰ４へ進み、認識した音量レベルが所定レベル以下であるか否かを判定する。
【００２５】
このステップＳＰ４において肯定結果が得られると、このことは、音楽出力部３から出力される音楽の音量が著しく小さくなったことを意味しており、このときＤＳＰ２は、ユーザがこの音楽出力部３から出力される音楽を聴いたとしても音量が小さいのでその音質の良否を細かく判別することができない、と判断し、ステップＳＰ５へ進む。
【００２６】
そしてステップＳＰ５においてＤＳＰ２は、例えば図３に示すように、外部から供給されたデータＤ１及びＤ２のそれぞれについて、重みの小さい下位ビット部分ＬＢ１及びＬＢ２（この場合、両方とも１６ビットの大きさ）を切り捨てて、重みの大きい上位ビット部分ＭＢ１及びＭＢ２のみを１６ビット演算部２Ａによって演算処理することにより、音楽データＳＤを生成する。
【００２７】
このときの演算処理は、１６ビットの大きさでなるデータＤ１の上位ビット部分ＭＢ１と、同じく１６ビットの大きさでなるデータＤ２の上位ビット部分ＭＢ２とを乗算処理する演算ステップだけになるので、図４に示した演算処理よりも格段とその処理負荷を低減させることができる。
【００２８】
一方、かかるステップＳＰ４において否定結果が得られると、このことは、音楽出力部３から所定レベルよりも大きい音量で音楽が出力されていることを意味しており、このときＤＳＰ２は、ステップＳＰ６へ進み、図４に示したような通常の演算処理を行って音楽データＳＤを生成する。
【００２９】
以上の構成において、音楽再生装置１は、音楽出力部３から出力される音楽の音量が小さくなって、ユーザがその音質の良否を細かく判別することができなくなったとき、図３に示すように、重みの小さい下位ビット部分ＬＢ１及びＬＢ２を切り捨て、重みの大きい上位ビット部分ＭＢ１及びＭＢ２のみを演算処理する。
【００３０】
かくしてこの音楽再生装置１は、音楽出力部３から出力される音楽の音質変動をユーザに気付かせることなく、演算処理にかかる処理負荷を低減させることができる。
【００３１】
以上の構成によれば、音楽出力部３から出力される音楽の音量が所定レベル以下になったとき、データＤ１、Ｄ２、……の下位ビット部分ＬＢ１、ＬＢ２、……を切り捨てて演算処理するようにしたことにより、当該演算処理にかかる処理負荷を従来よりも小さくすることができる。
【００３２】
この結果、従来と比して格段と消費電力を低減することができる音楽再生装置１を実現することができる。
【００３３】
なお上述の実施の形態においては、１６ビット演算部２Ａを有するＤＳＰ２を適用する場合について述べたが、本発明はこれに限らず、例えば、１６ビット演算部の他に、２４ビット演算部や３２ビット演算部を有するＤＳＰを適用するようにしても良い。
【００３４】
例えば１６ビット演算部及び３２ビット演算部を有するＤＳＰを適用した場合にも、音楽出力部３から出力される音楽の音量が所定レベル以下になったとき、図３に示したように、１６ビットの大きさでなる上位ビット部分ＭＢ１及びＭＢ２のみを演算処理すれば良いことから、３２ビット演算部を使用せずに１６ビット演算部のみで当該演算処理を実行することができ、この結果、従来と比して格段と消費電力を低減することができる。
【００３５】
また上述の実施の形態においては、３２ビットの大きさでなるデータＤ１、Ｄ２、……を演算処理する場合について述べたが、これに限らず、この他種々の大きさでなるデータを演算処理する場合に本発明を適用しても良い。この場合にも、音楽出力部３から出力される音楽の音量が所定レベル以下になったとき、重みの小さいビット部分を切り捨てて演算処理するようにすれば、上述の実施の形態と同様の効果を得ることができる。
【００３６】
さらに上述の実施の形態では、外部から供給される所定ビット数のデータを繰り返し演算処理することにより音楽データを生成する演算装置（ＤＳＰ２）が、携帯型の音楽再生装置１に対して適用されている場合について述べたが、本発明はこれに限らず、楽器音や音声等からなる音楽を出力することができれば、据え置き型のオーディオ機器やパーソナルコンピュータ等、この他種々の音楽再生装置に適用されるようにしても良い。
【００３７】
さらに上述の実施の形態では、音楽データに基づいて所定の出力手段（音楽出力部３）から出力される音楽の音量を認識する認識手段として、音量認識部４を適用する場合について述べたが、本発明はこれに限らず、この他種々の構成を適用するようにしても良い。
【００３８】
さらに上述の実施の形態では、認識手段によって認識した音量が所定レベル以下である場合、データの一部を切り捨てて演算処理することにより音楽データを生成する演算手段として、ＤＳＰ２を適用する場合について述べたが、本発明はこれに限らず、ＣＰＵ（Central Processing Unit）等を適用するようにしても良い。
【産業上の利用可能性】
【００３９】
本発明は、音楽再生機能を有するポータブルＭＤ（Mini Disc）プレーヤや、ＭＰ３（MPEG Audio Layer-3）プレーヤ、パーソナルコンピュータ等の音楽再生装置に適用することができる。
【図面の簡単な説明】
【００４０】
【図１】本実施の形態における音楽再生装置の構成を示すブロック図である。
【図２】演算処理の手順を示すフローチャートである。
【図３】演算処理の様子（１）を示す略線図である。
【図４】演算処理の様子（２）を示す略線図である。
【符号の説明】
【００４１】
１……音楽再生装置、２……ＤＳＰ、４……音楽認識部。
【図１】
2005100159.tif 000003
【図２】
2005100159.tif 000004
【図３】
2005100159.tif 000005
【図４】
2005100159.tif 000006